(57)【要約】      （修正有）【課題】位置ずれを抑制しつつロール部材によって基材をガイドすることができ、しかも、異物に起因する該ロール部材の故障が抑制された有機ＥＬ素子の製造装置等を提供する。【解決手段】帯状の基材３２が架けられるロール部材２１を有し、前記基材を前記ロール部材に架けながら、前記ロール部材の回転方向と傾斜する方向に搬送する搬送部を備え、前記ロール部材は、前記回転方向に間隔を空けて前記ロール部材の回転軸２２と同方向に延在する、前記回転軸を中心として回動可能な複数の支持部材２３と、前記基材と当接する、前記回転軸と同方向に沿って移動可能であるように前記支持部材に支持された当接部材２５とを有する、有機ＥＬ素子の製造装置。【選択図】図２
2016052929.tif 000002
【特許請求の範囲】
【請求項１】
帯状の基材が架けられるロール部材を有し、前記基材を前記ロール部材に架けながら、前記ロール部材の回転方向と傾斜する方向に搬送する搬送部を備え、
前記搬送部によって搬送されている前記基材上に有機ＥＬ素子を形成する有機ＥＬ素子の製造装置であって、
前記ロール部材は、
前記ロール部材の回転方向に間隔を空けて前記ロール部材の回転軸と同方向に延在する支持部材であって、前記回転軸を中心として回動可能な複数の支持部材と、
前記基材と当接する当接部材であって、前記回転軸と同方向に沿って移動可能であるように前記支持部材に支持された当接部材とを有する、有機ＥＬ素子の製造装置。
【請求項２】
前記ロール部材は、前記支持部材に伴って前記当接部材が回動する際、搬送している前記基材に当接させるように該当接部材をガイドするガイド部材を、さらに有する、請求項１に記載の有機ＥＬ素子の製造装置。
【請求項３】
搬送されている帯状の基材上に有機ＥＬ素子を形成する有機ＥＬ素子の製造方法であって、
請求項１または２に記載の有機ＥＬ素子の製造装置を用い、
前記搬送部によって、前記基材を前記当接部材に架けながら、前記ロール部材の回転方向と傾斜する方向に搬送しつつ、搬送している前記基材上に有機ＥＬ素子を形成する工程を備えた、有機ＥＬ素子の製造方法。
【発明の詳細な説明】
【技術分野】
【０００１】
本発明は、有機ＥＬ（エレクトロルミネッセンス）素子の製造装置及び製造方法に関する。
【背景技術】
【０００２】
近年、低消費電力を実現可能な次世代の発光素子として、有機ＥＬ素子が注目されている。有機ＥＬ素子は、陽極と、陰極と、陽極と陰極の間に設けられた発光層を含む有機層と、を有する。有機層は、例えば、陽極側に設けられる正孔輸送層と、陰極側に設けられる電子輸送層と、正孔輸送層と電子輸送層の間に設けられる発光層と、を有する。正孔輸送層は、発光層に正孔を注入する機能を有する。電子輸送層は、発光層に電子を注入する機能を有する。
【０００３】
かかる有機ＥＬ素子を製造する製造装置としては、円柱状のロール部材を有し、基材を該ロール部材に架け渡しながら搬送する搬送部と、該搬送部によって搬送されている基材に気化材料を蒸着する蒸着部とを備えたものが用いられている。
【０００４】
この種の製造装置においては、装置の小型化等を図るために、例えば図８に示すように、円柱状のロール部材５０の回転方向に対して傾斜する方向に基材３２を架け渡し、基材３２を斜めに搬送したい場合がある。
【０００５】
しかし、このように基材３２を斜めに搬送すると、ロール部材５０と基材３２との間の摩擦力に起因して、ロール部材５０が基材３２を巻き込もうとする。この巻き込みは、図９に示すように、ロール部材５０の軸方向Ｘにおいて、基材３２を、破線で示すように、その移動方向とは反対の方向に移動させることになる。このように、ロール部材５０による巻き込みに基材３２が追従して移動する結果、ロール部材５０に架け渡されている基材３２の位置ずれが生じる。
【０００６】
かかる位置ずれが生じると、ロール部材５０よりも下流側に送られた基材３２に何らかの処理をする際、不具合が生じるおそれがある。例えば、送られた基材３２上に蒸着を行う場合には、基材の所望の位置に所望の蒸着ができなくなるおそれがある。また、例えば、基材３２を巻き取る際、巻きずれが生じるおそれもある。
【０００７】
そこで、このようなロール部材での位置ずれを抑制する技術が提案されている。
例えば、ロール部材として、外周面に複数の孔部が形成されたロール本体と、孔部を通して外周面よりも径方向外方に突出するように、且つ、回転可能であるように前記孔部に収容された複数の球状の回転体と、該回転体を、径方向内方から回転可能に支持する筒状の支持部材とを備えたものが提案されている（特許文献１〜３参照）。
【０００８】
このようなロール部材で基材を斜めにガイドすると、ロール本体が回転し、基材を巻き込もうとしても、球状の回転体が自由方向に回転することによって、該巻き込みに基材が追従して移動することを抑制できる。従って、ロール部材に架け渡されている基材の位置ずれを抑制することが可能となる。
【先行技術文献】
【特許文献】
【０００９】
【特許文献１】特開２０１３−１０１８８０号公報
【特許文献２】特開２０１３−１０９８２９号公報
【特許文献３】特開２０１３−１６１５７０号公報
【発明の概要】
【発明が解決しようとする課題】
【００１０】
しかし、上記したロール部材では、架けられる基材に向かって開口する孔部に球状の回転体が支持されているため、基材に付着した異物が、孔部と回転体との間に噛み込み、ロール部材の故障を引き起こすおそれがある。
【００１１】
本発明は、上記事情に鑑み、位置ずれを抑制しつつロール部材によって基材をガイドすることができ、しかも、異物に起因する該ロール部材の故障が抑制された有機ＥＬ素子の製造装置及び製造方法を提供することを課題とする。
【課題を解決するための手段】
【００１２】
本発明に係る有機ＥＬ素子の製造装置は、
帯状の基材が架けられるロール部材を有し、前記基材を前記ロール部材に架けながら、前記ロール部材の回転方向と傾斜する方向に搬送する搬送部を備え、
前記搬送部によって搬送されている前記基材上に有機ＥＬ素子を形成する有機ＥＬ素子の製造装置であって、
前記ロール部材は、
前記ロール部材の回転方向に間隔を空けて前記ロール部材の回転軸と同方向に延在する支持部材であって、前記回転軸を中心として回動可能な複数の支持部材と、
前記基材と当接する当接部材であって、前記回転軸と同方向に沿って移動可能であるように前記支持部材に支持された当接部材とを有する。
【００１３】
かかる構成によれば、ロール部材の回転方向と傾斜する方向に基材をロール部材に架けながら搬送する際、支持部材に伴った当接部材の回動によってロール部材が基材を巻き込もうとしても、当接部材が回転軸と同方向に移動可能であることによって、該巻き込みに基材が追従して移動することを抑制できる。これにより、基材の位置ずれを抑制することが可能となる。
また、基材に向かって開口する孔部に回転体を収容する構成を採用しなくても、上記位置ずれを抑制できるため、異物の混入を抑制することができる。これにより、異物の混入に起因したロール部材の故障を抑制し得る。
従って、位置ずれを抑制しつつロール部材によって基材をガイドすることができ、しかも、異物に起因する該ロール部材の故障を抑制することができる。
【００１４】
上記構成の有機ＥＬ素子の製造装置においては、
前記ロール部材は、前記支持部材に伴って前記当接部材が回動する際、搬送している前記基材に当接させるように該当接部材をガイドするガイド部材を、さらに有することが好ましい。
【００１５】
かかる構成によれば、基材の進行経路に合わせて、当接部材を基材に、より確実に当接させることが可能となる。これにより、基材の位置ずれを、より確実に抑制することができる。
【００１６】
本発明に係る有機ＥＬ素子の製造方法は、
搬送されている帯状の基材上に有機ＥＬ素子を形成する有機ＥＬ素子の製造方法であって、
上記有機ＥＬ素子の製造装置を用い、
前記搬送部によって、前記基材を前記当接部材に架けながら、前記ロール部材の回転方向と傾斜する方向に搬送しつつ、搬送している前記基材上に有機ＥＬ素子を形成する工程を備える。
【００１７】
かかる構成によれば、上記と同様、位置ずれを抑制しつつロール部材によって基材をガイドすることができ、しかも、異物に起因する該ロール部材の故障を抑制することができる。
【発明の効果】
【００１８】
本発明によれば、位置ずれを抑制しつつロール部材によって基材をガイドすることができ、しかも、異物に起因する該ロール部材の故障が抑制された有機ＥＬ素子の製造装置及び製造方法が提供される。
【図面の簡単な説明】
【００１９】
【図１】本発明の一実施形態に係る有機ＥＬ素子の製造装置の概略正面図
【図２】本実施形態の有機ＥＬ素子の製造装置に備えられたロール部材に基材が架けられた状態を示す概略斜視図
【図３】本実施形態の有機ＥＬ素子の製造装置に備えられたロール部材に基材が架けられた状態を示す概略正面図
【図４】本実施形態の有機ＥＬ素子の製造装置に備えられたロール部材の概略斜視図
【図５】本発明の他の実施形態に係る有機ＥＬ素子の製造装置に備えられたロール部材をガイド部材が設けられていない状態で示す概略斜視図
【図６】図５のロール部材に備えられたガイド部材の概略斜視図
【図７】有機ＥＬ素子の横断面図
【図８】従来の有機ＥＬ素子に備えられたロール部材を示す概略正面図
【図９】従来の有機ＥＬ素子に備えられたロール部材でガイドされる基材の状態を模式的に示す概略図
【発明を実施するための形態】
【００２０】
以下、本発明に係る有機ＥＬ素子の製造装置（以下、単に「製造装置」ともいう）における一実施形態について、図１〜図７を参酌して説明する。
【００２１】
本実施形態に係る製造装置１は、図１〜図６に示すように、内部が真空である複数（図例では３つ）の真空室３と、帯状の基材３２が真空室３の内部を通過するように、基材３２を搬送する搬送部２と、気化材料を基材３２に蒸着すべく、基材３２に向けて気化材料を吐出する複数の蒸着源１３と、を備える。
【００２２】
真空室３は、連設されている。また、各真空室３の内部が真空となるように、各真空室３には、真空ポンプ等の真空発生装置（図示せず）が接続されている。
【００２３】
搬送部２は、基材３２が架けられるロール部材２１を有し、基材３２をロール部材２１に架けながら、ロール部材２１の回転方向と傾斜する方向に搬送するようになっている。具体的には、搬送部３２は、基材３２を送る送り出しロール５と、基材３２を巻き取る巻き取りロール６と、ロール部材２１とを備える。送り出しロール５は、真空室３の外部で且つ上流側に配置されている。巻き取りロール６は、真空室３の外部で且つ下流側に配置されている。
【００２４】
各蒸着源１３は、真空室３の内部に配置されていると共に、基材３２と下方から対面するように配置されている。また、各蒸着源１３は、加熱により気化させた気化材料を、基材３２に向けて吐出している。具体的には、各蒸着源１３は、気化材料を、上方に向けて吐出している。
【００２５】
ロール部材２１は、該ロール部材２１の回転軸（第１の回転軸）Ｒ１を軸中心とする軸部材２２と、軸部材２２の周りに回転軸Ｒ１と同方向に沿って配された、回転軸Ｒ１を中心として回動可能な複数の支持部材２３と、基材３２と当接する当接部材であって、回転軸Ｒ１と同方向に沿って移動可能であるように支持部材２３に支持された当接部材２５とを有する。また、ロール部材２１は、支持部材２３の両端部を保持する保持部材２７を、さらに有する。保持部材２７は、軸部材２２に対して回転可能に設けられている。また、ロール部材２１は、支持部材２３に伴って当接部材２５が回動する際、搬送している基材３２に当接させるように該当接部材２５をガイドするガイド部材２９を、さらに有する。
【００２６】
図４に示すように、支持部材２３は、軸部材２２と間隔を空けて配され、且つ、回転軸Ｒ１を中心とする円の円周方向に沿って、等間隔に配されている。支持部材２３は、回転軸Ｒ１を中心として、回動するようになっている。
【００２７】
本実施形態では、支持部材２３は、軸部材２１に対して、保持部材２９の回転と共に回動可能となっている。支持部材２３は、保持部材２７に回転不能に保持されている。支持部材２３の数量、長さ等は、基材３２の進行軌跡等に応じて適宜設定すればよい。
【００２８】
本実施形態では、当接部材２５は、円筒状であって、支持部材２３に回転可能に支持されている。当接部材２５は、支持部材２３を中心として回転可能に支持部材２３に支持されている。すなわち、当接部材２５は、支持部材２３の軸中心を回転軸（第２の回転軸）Ｒ２として回転可能に支持されている。当接部材２５は、軸部材２２と平行に配されている。すなわち、回転軸Ｒ２は、回転軸Ｒ１と平行に配されている。本実施形態では、当接部材２５は、回転軸Ｒ１と同方向に複数配されているが、その他の実施形態では、１つ配されていてもよい。回転軸Ｒ１と同方向における当接部材２５の長さ、数量、及び、回転軸Ｒ１と同方向において当接部材２５が移動可能な距離は、特に限定されず、基材３２の進行軌跡等に応じて適宜設定すればよい。本実施形態では、回転軸Ｒ１と同方向において当接部材２５が移動可能な距離は、ガイド部材２９によって決定される。
【００２９】
本実施形態では、基材３２は、ロール部材２１における一端側から他端側に向かって、ロール部材２１の回転方向と傾斜した方向から当接部材２５と接触し、これに支持されて進行するようになっている。具体的には、基材３２は、上記一端側から他端側に向かって、回転軸Ｒ１を中心とした螺旋の一部を描きながら所定の経路で進行するようになっている。
【００３０】
本実施形態では、ロール部材２１は、ガイド部材２９を一対有する。図５及び図６に示すように、ガイド部材２９は、支持部材２３に伴って当接部材２５が回動する際、搬送している基材３２に当接させるように該当接部材２５をガイドする。ガイド部材２９は、支持部材２３よりも軸部材２２側に配されている。すなわち、ガイド部材２９は、軸部材２２と支持部材２３との間に配されている。ガイド部材２９は、回転軸Ｒ１と同方向において当接部材２５の両外側に配されている。すなわち、ガイド部材２９は、当接部材２５と保持部材２７との間に配されている。
【００３１】
ガイド部材２９は、軸部材２２に固定されている。これにより、軸部材２２及びガイド部材２９に対して、支持部材２３及び当接部材２５が回動し、この回動の際、搬送している基材３２に当接させるように、ガイド部材２９が当接部材２５をガイドする。
【００３２】
このようなローラ部材２１の一端側から他端側に向かって、ロール部材２１の回転方向と傾斜する方向から基材３２が送られると、送られた基材３２は、当接部材２５に架けられる。当接部材２５に架けられた基材３２は、回転軸Ｒ１を中心とした支持部材２３の回動、及び、ガイド部材２９にガイドされた当接部材２５の移動と共に、進行方向下流側に送られる。基材３２は、このようにロール部材２１によってガイドされながら搬送される。
【００３３】
このように、ロール部材２１の回転方向と傾斜する方向に基材３２をロール部材２１に架けながら搬送する際、基材３２と接触している当接部材２５が、回転軸Ｒ１と同方向に沿って移動可能であることによって、支持部材２３に伴った当接部材２５の回動によってロール部材２１が基材３２を巻き込もうとしても、該巻き込みに基材３２が追従して移動することを抑制できる。これにより、基材３２の位置ずれを抑制することが可能となる。
また、基材３２に向かって開口する孔部に回転体を収容する構成を採用しなくても、上記位置ずれを抑制できるため、異物の混入を抑制することができる。これにより、異物の混入に起因したロール部材２１の故障を抑制し得る。
【００３４】
本実施形態の有機ＥＬ素子の製造装置１によって製造される有機ＥＬ素子３１は、図７に示すように、基材３２の一方側の面に蒸着源１３からの気化材料が蒸着されて形成される陽極層３３と、陽極層３３の上から気化材料が蒸着されて形成される有機層３４と、有機層３４の上から気化材料が蒸着されて形成される陰極層３５とを備える。
【００３５】
陽極層３３は、例えば、インジウム−亜鉛酸化物（ＩＺＯ）、インジウム−錫酸化物（ＩＴＯ）等の透明導電材や、金、銀、アルミニウム等の金属で形成されている。
【００３６】
有機層３４は、陽極層３３の上に配置される正孔輸送層３８と、正孔輸送層３８の上に配置される有機ＥＬ層３９と、有機ＥＬ層３９の上に配置される電子輸送層４０とを備える。そして、有機層３４は、陽極層３３と陰極層３５とが接触するのを防止するように、陽極層３３及び陰極層３５間に配置されている。
【００３７】
正孔輸送層３８は、例えば、銅フタロシアニン（ＣｕＰｃ）、４，４'−ビス［Ｎ−４−（Ｎ，Ｎ−ジ−ｍ−トリルアミノ）フェニル］−Ｎ−フェニルアミノ］ビフェニル（ＤＮＴＰＤ）等で形成されている。また、有機ＥＬ層３９は、例えば、トリス（８−ハイドロキシキノリン）アルミニウム（Ａｌｑ３）、イリジウム錯体（Ｉｒ（ｐｐｙ）３）をドープした４，４'−Ｎ，Ｎ'−ジカルバゾニルビフェニル（ＣＢＰ）等で形成されている。さらに、電子輸送層４０は、例えば、フッ化リチウム（ＬｉＦ）、フッ化セシウム（ＣｓＦ）、酸化リチウム（Ｌｉ２Ｏ）等で形成されている。
【００３８】
陰極層３５は、例えば、アルミニウム、銀、マグネシウム銀の合金、アルカリ金属、アルカリ土類金属を含む合金等で形成されている。
【００３９】
基材３２は、導電性を有する導電層３６と、絶縁性を有する絶縁層３７とを備える。そして、導電層３６は、金属基板で構成されており、例えば、ステンレス、銅、ニッケル等の金属で形成されている。また、絶縁層３７は、導電層３６の一方側の面全体を覆うように配置され、例えば、ポリイミド樹脂、ポリエステル樹脂、エポキシ樹脂等の光硬化性樹脂や、薄ガラス等で形成されている。
【００４０】
次に、本実施形態に係る有機ＥＬ素子３１の製造方法について説明する。
【００４１】
有機ＥＬ素子３１を製造するには、搬送部２を駆動することにより、基材３２を送り出しロール５から巻き取りロール６に向けて走行させる。基材３２は、図１に示すように、基材３２の搬送方向における上流側の真空室３の内部、中央の真空室３の内部、下流側の真空室３の内部の順に搬送される。基材３２は、各真空室３内に配置されるロール部材２１によって、ロール部材２１の回転方向と傾斜する方向にガイドされながら搬送されて、蒸着源１３に供給される。
【００４２】
上流側の真空室３では、内部に配置されている蒸着源１３によって、基材３２に陽極層３３が形成される。その後、基材３２は中央の真空室３に移る。基材３２には、この真空室３内の蒸着源１３によって、有機層３４が陽極層３３に重なるように形成される。次に、基材３２は、下流側の真空室３に移る。基材３２には、この真空室３内の蒸着源１３によって、陰極層３５が有機層３４に重なるように形成される。
【００４３】
このように、ロール部材２１によってガイドされて搬送されている基材３２に、蒸着源１３による気化材料を蒸着することにより、基材３２に有機ＥＬ素子３１が形成される。
【００４４】
以上説明した本実施形態に係る有機ＥＬ素子３１の製造装置１及び製造方法によれば、ロール部材２１の回転方向と傾斜する方向に基材３２をロール部材２１に架けながら搬送する際、支持部材２３に伴った当接部材２５の回動によってロール部材２１が基材３２を巻き込もうとしても、当接部材２５が回転軸Ｒ１と同方向に移動可能であることによって、該巻き込みに基材３２が追従して移動することを抑制できる。これにより、基材３２の位置ずれを抑制することが可能となる。
また、基材３２に向かって開口する孔部に回転体を収容する構成を採用しなくても、上記位置ずれを抑制できるため、異物の混入を抑制することができる。これにより、異物の混入に起因したロール部材２１の故障を抑制し得る。
従って、位置ずれを抑制しつつロール部材２１によって基材３２をガイドすることができ、しかも、異物に起因する該ロール部材の故障を抑制し得る。
【００４５】
また、本実施形態に係る有機ＥＬ素子３１の製造装置１では、当接部材２５は、円筒状であって、支持部材２３に回転可能に支持されていることによって、当接部材２５を比較的容易に回転軸Ｒ１と同方向に移動させることができる。これにより、ロール部材２１による基材３２の巻き込みを比較的容易に低減できるため、基材３２の位置ずれを、比較的容易に抑制できる。
【００４６】
また、本実施形態有機ＥＬ素子３１の製造装置１では、ガイド部材２９をさらに有することによって、基材３２の進行経路に合わせて、当接部材２５をより確実に移動させることが可能となるため、基材３２の位置ずれを、より確実に抑制することができる。
【００４７】
なお、本発明に係る有機ＥＬ素子３１の製造装置１及び製造方法は、上記した実施の形態に限定されるものではなく、本発明の要旨を逸脱しない範囲内において種々変更を加え得ることは勿論である。
【００４８】
例えば、上記実施形態では、支持部材２３が保持部材２７に回転不能に保持されているが、支持部材２３が保持部材２７に回転可能に保持されていてもよい。この場合、当接部材２５は、支持部材２３に対して回転可能に設けられていても、回転不能に設けられていてもよい。当接部材２５が、支持部材２３に対して回転不能に設けられている態様としては、当接部材２５が、その内側に突出する突起を有しており、支持部材２３が、当接部材２５を回転軸Ｒ１と同方向に移動可能とすべく上記突起を収容しつつ長手方向に延在する溝部を有しているような態様を採用し得る。
【００４９】
上記実施形態では、当接部材２５が支持部材２３に回転可能に支持されている。しかし、当接部材２５は、例えば、支持部材２３に回転不能に支持されていてもよい。この場合、例えば、当接部材２５として、リニアブッシュロール等を採用し得る。
【００５０】
上記実施形態では、ロール部材２１がガイド部材２９を有する。しかし、かかるガイド部材２９を有しないロール部材２１を採用してもよい。この態様としては、例えば、以下の態様が挙げられる。
【００５１】
すなわち、ガイド部材２９を有しないロール部材２１が水平方向に対して交差する方向に配置されている。これにより、基材３２と接触していない当接部材２５は、支持部材２３の下方の端部側に位置する。この状態で、回転方向に対して傾斜する方向から基材３２が当接部材２５に接触し、ロール部材２１の回転に伴って、支持部材２３の上方の端部側に向かって螺旋を描くように移動すると、この基材３２の進行に伴って当接部材２５が、上記上方の端部側に向かって重力に抗して移動しながら基材３２をガイドする。基材３２をガイドし終えた当接部材２５は、基材３２との接触が解除されると、当接部材２５が重力によって上記下方側に移動する。これが繰り返されることによって、当接部材２５によって基材３２を順次ガイドすることができる。
【００５２】
上記実施形態では、基材３２に気化材料を蒸着することによって、有機ＥＬ素子３１を形成する態様を採用する。しかし、有機ＥＬ素子３１を形成する方法は、かかる蒸着に特に限定されるものではない。
【符号の説明】
【００５３】
１：製造装置、２：搬送部、３：真空室、５：送り出しロール、６：巻き取りロール、９：キャンロール、１３：蒸着源、２１：ロール部材、２２：軸部材、２３：支持部材、２３ａ：第１の支持部材、２３ｂ：第２の支持部材、２５：当接部材、２７：保持部材、２９：ガイド部材、３１：有機ＥＬ素子、３２：基材、３３：陽極層、３４：有機層、３５：陰極層、３６：導電層、３７：絶縁層、３８：正孔輸送層、３９：有機ＥＬ層、４０：電子輸送層
【図１】
2016052929.tif 000003
【図２】
2016052929.tif 000004
【図３】
2016052929.tif 000005
【図４】
2016052929.tif 000006
【図５】
2016052929.tif 000007
【図６】
2016052929.tif 000008
【図７】
2016052929.tif 000009
【図８】
2016052929.tif 000010
【図９】
2016052929.tif 000011